(57)【要約】【課題】ＬＥＤ基板同士の突き合わせ部分でも明るさを確保することが可能な発光ユニットを提供する。【解決手段】長辺が長尺な長方形で、全数が奇数個のＬＥＤ素子１２を実装可能なＬＥＤ実装用基板１０に対し、基板長辺方向に列をなし且つ基板短辺方向に二列配列にＬＥＤ素子１２を実装すると共に、その基板長辺方向の一方の端部の二行二列の４つのＬＥＤ素子１２の中央部に端部中央ＬＥＤ素子１２ｃを実装してＬＥＤ基板６を構成する。そして、これらのＬＥＤ基板６を４個長尺方向に突き合わせて発光ユニット２を構成する際、基板配列方向内側の２つのＬＥＤ基板６は、夫々の端部中央ＬＥＤ素子１２ｃが接近するように配置する。また、基板配列方向両外側のＬＥＤ基板６は夫々端部片側ＬＥＤ素子１２ｃが基板配列方向外側になるように配置する。【選択図】図１５
2017168351.tif 000002
【特許請求の範囲】
【請求項１】
複数のＬＥＤ実装用基板と、
前記ＬＥＤ実装用基板に対し、二列配列したＬＥＤ素子群と、を有し、
前記複数のＬＥＤ実装用基板は、隣合う２つのＬＥＤ実装用基板を一組として構成され、
前記一組を構成するＬＥＤ実装用基板は基板長辺方向に突き合わせて配置され、
前記基板長辺方向一方の端部に位置する前記ＬＥＤ素子群の二行二列の４つのＬＥＤ素子に囲まれた領域には端部ＬＥＤ素子が配置され、
前記一組を構成するＬＥＤ実装用基板は、夫々の基板長辺方向他方の端部を突き合わせて配置した
発光ユニット。
【請求項２】
前記ＬＥＤ実装用基板の基板長辺方向他方の端部に位置する前記ＬＥＤ素子群の二行二列の４つのＬＥＤ素子に囲まれた領域には一対のコネクタ部が配置されている
請求項１に記載の発光ユニット。
【発明の詳細な説明】
【技術分野】
【０００１】
本発明は、複数のＬＥＤが配置された長尺状のＬＥＤ基板で発光する発光ユニットに関し、例えば天井位置に取付けられた器具本体に装着して使用される発光ユニットに好適なものである。
【背景技術】
【０００２】
照明に用いる発光源として発光ダイオード（以下、ＬＥＤ（Light Emitting Diode））が発光素子として注目され、基板上に複数のＬＥＤを配置したＬＥＤ基板が発光素子基板として開発されている。照明装置としては、例えば下記特許文献１に記載されるように、複数のＬＥＤを配置した長尺なＬＥＤ基板を用いた発光ユニットが開発されている。この特許文献に記載される照明装置では、天井位置に取付けられた長尺な器具本体に長尺な発光ユニットを２つ長尺方向に並べて取付け、全長として２０００ｍｍに及ぶ、或いはそれ以上に長い照明装置を構成している。
【先行技術文献】
【特許文献】
【０００３】
【特許文献１】特許第５６６７２６２号公報
【発明の概要】
【発明が解決しようとする課題】
【０００４】
特許文献１に記載される照明装置では、長尺な発光ユニットを２つ長尺方向に並べて長尺な照明装置をしているが、この長尺な照明装置を単一の発光ユニットで構成したいという要求がある。前述のように、長尺な発光ユニットを構成するＬＥＤ基板は、長尺なＬＥＤ実装用基板にＬＥＤを実装して製造されるが、このＬＥＤ実装用基板そのものの長さが製造上制約される。つまり、長尺な発光ユニットは、複数の長尺なＬＥＤ基板を長尺方向に並べて構成しなければならない。また、各ＬＥＤ基板そのものにも、例えば効率や製造上の制約から、全数で奇数個のＬＥＤを実装しなければならないという規制がある。すると、複数、具体的には４以上のＬＥＤ基板を長尺方向に並べて構成される発光ユニットに明るさの低い部分が生じる。これは、ＬＥＤ基板同士が突き合わされる部分で生じるが、このＬＥＤ基板同士の突き合わせ部分で明るさを確保する具体的な技術の開発が必要となっている。
本発明は、上記のような問題点に着目してなされたものであり、ＬＥＤ基板同士の突き合わせ部分でも明るさを確保することが可能な発光ユニットを提供することを目的とするものである。
【課題を解決するための手段】
【０００５】
上記課題を解決するために、本発明の一態様によれば、複数のＬＥＤ実装用基板と、ＬＥＤ実装用基板に対し、二列配列したＬＥＤ素子群と、を有し、複数のＬＥＤ実装用基板は、隣合う２つのＬＥＤ実装用基板を一組として構成され、一組を構成するＬＥＤ実装用基板は基板長辺方向に突き合わせて配置され、基板長辺方向一方の端部に位置するＬＥＤ素子群の二行二列の４つのＬＥＤ素子に囲まれた領域には端部ＬＥＤ素子が配置され、一組を構成するＬＥＤ実装用基板は、夫々の基板長辺方向他方の端部を突き合わせて配置した発光ユニットが提供される。
【発明の効果】
【０００６】
本発明の発光ユニットでは、ＬＥＤ基板同士の突き合わせ部分でも明るさを確保することができる。
【図面の簡単な説明】
【０００７】
【図１】本発明の発光ユニットの一実施形態を用いた照明装置の一例を示す斜視図である。
【図２】図１の照明装置の構成図であり、（ａ）は断面図、（ｂ）は平面図、（ｃ）は右側面図である。
【図３】図１、図２の発光ユニットに用いられたＬＥＤ基板の平面図である。
【図４】図３のＬＥＤ基板を構成するためのＬＥＤ実装用基板の平面図である。
【図５】図４のＬＥＤ実装用基板における二列実装部の平面図である。
【図６】図５の二列実装部のＬＥＤ接続のブロック図である。
【図７】図４のＬＥＤ実装用基板における長尺方向一方の端部の平面図である。
【図８】図７のＬＥＤ実装用基板におけるＬＥＤ実装状態の説明図である。
【図９】図４のＬＥＤ実装用基板実装用基板における長尺方向他方の端部の平面図である。
【図１０】図２の発光ユニットにおけるＬＥＤ基板配置の一例を示す説明図である。
【図１１】図２の発光ユニットにおけるＬＥＤ基板配置の他の例を示す説明図である。
【図１２】従来の照明装置の発光ユニットにおけるＬＥＤ基板配置の一例を示す説明図である。
【図１３】図１０、図１１のＬＥＤ基板配列に対する比較例の説明図である。
【図１４】図２の発光ユニットにおけるＬＥＤ基板配置の更に他の例を示す説明図である。
【図１５】本発明の発光ユニットの他の実施形態を示すＬＥＤ基板配置の説明図である。
【図１６】図１５のＬＥＤ基板を構成するためのＬＥＤ実装用基板の平面図である。
【図１７】図１５の発光ユニットにおけるＬＥＤ基板配置の他の例を示す説明図である。
【発明を実施するための形態】
【０００８】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【０００９】
以下に、本発明の発光ユニットの一実施形態について図面を参照しながら説明する。図１には、この実施形態の発光ユニットを用いた照明装置の斜視図を示す。また、図２は、図１の照明装置の構成図であり、（ａ）は断面図、（ｂ）は平面図、（ｃ）は右側面図である。この実施形態の照明装置は、例えば天井位置に取付けて使用されるものであり、天井位置に固定される器具本体１と、この器具本体１に取付けられる発光ユニット２を備えて構成される。従って、器具本体１に対して発光ユニット２は室内側、つまり下方に配置される。器具本体１は、例えば天井に垂下している図示しないボルト部材を挿通して吊り下げられる。器具本体１には、垂下・揺動可能なバネ部材３が取付けられており、このバネ部材３に発光ユニット２のバネ受け４を引っ掛け、その状態で発光ユニット２を押し上げると、バネ部材３がバネ受け４を上方に押し上げる状態でバネ受け４に係合して発光ユニット２が器具本体１に固定される。
【００１０】
この照明装置は、全長が２０００ｍｍに及ぶ、或いはそれ以上に長尺なものであるが、取付けられている発光ユニット２は１つだけである。つまり、照明装置と同等の長さの長尺な発光ユニット２が用いられている。この発光ユニット２は、長尺なＬＥＤ基板６をその長尺方向に４個突き合わせて発光源が構成されている。この実施形態では、その長尺なＬＥＤ基板６を長尺方向に４個突き合わせた状態で支持部材８に取付け、ＬＥＤ基板６の発光側を長尺な透光性のカバー９で覆って発光ユニット２が一体型に構成される。なお、特許文献１に記載されるように、ＬＥＤ基板６の室内と反対側には放熱用の図示しないヒートシンクが設けられ、ＬＥＤ基板６の室内側には図示しない反射シートが設けられている。また、発光ユニット２の支持部材８には、ＬＥＤ基板６上のＬＥＤ素子１２に電力を供給するための電源部５が取付けられている。なお、この電源部５は、天井に垂下しているボルト部材（吊りボルト）の仕様が異なっても、それらのボルト部材に干渉しないように、支持部材８の長尺方向端部に配置している。
【００１１】
図３は、図１、図２の発光ユニット２に用いられたＬＥＤ基板６の平面図、図４は、図３のＬＥＤ基板６を構成するためのＬＥＤ実装用基板１０の平面図である。つまり、図４のＬＥＤ実装用基板１０にＬＥＤ素子１２を実装して図３のＬＥＤ基板６が構成される。このＬＥＤ実装用基板１０は、全数が奇数個のＬＥＤ素子１２を実装してＬＥＤ基板６とする。各ＬＥＤ基板６そのものには、例えば電力−発光効率や製造上の制約から、全数で奇数個のＬＥＤ素子１２を実装しなければならないという規制がある。このＬＥＤ実装用基板１０は、長辺が非常に長尺な長方形であり、ＬＥＤ基板６の主要部として、基板長辺方向に列をなし且つ基板短辺方向に二列配列にＬＥＤ素子１２を実装するＬＥＤ二列実装部を有する。図５には、ＬＥＤ二列実装部の詳細を示す。図の斜線を施した部分が銅箔電極１１であり、銅箔電極１１間の隙間を跨ぐようにして、図に破線で示すようにＬＥＤ素子１２を配置・実装する。このＬＥＤ二列実装部は、例えば並列に並べたＬＥＤ素子１２を５個ずつ銅箔電極１１にはんだ付けできるように構成されており、結果として、例えば図６のブロック図に示すように、並列に接続されたＬＥＤ素子１２を５個ずつ直列に接続する。
【００１２】
また、このＬＥＤ実装用基板１０では、図７に示すように、このＬＥＤ二列実装部に対し、基板長辺方向の一方の端部にあってＬＥＤ二列実装部の二列のうちの何れかの列の延長位置にのみ当該列のピッチと同ピッチで端部片側ＬＥＤ素子１２ａを実装可能な端部片側ＬＥＤ実装部を有する。また、このＬＥＤ実装用基板１０では、同じくＬＥＤ二列実装部に対し、基板長辺方向の一方の端部にあってＬＥＤ二列実装部の二列の中間位置でＬＥＤ二列実装部よりも基板長辺方向外側、具体的にはＬＥＤ二列実装部と端部片側ＬＥＤ実装部の中間位置に端部中央ＬＥＤ素子１２ｂを実装可能な端部中央ＬＥＤ実装部を有する。１つのＬＥＤ基板６には、全数で奇数個のＬＥＤ素子１２を実装することから、ＬＥＤ二列実装部の他に、端部片側ＬＥＤ実装部に端部片側ＬＥＤ素子１２ａを実装するか、端部中央ＬＥＤ実装部に端部中央ＬＥＤ素子１２ｂを実装するかを選択する。即ち、このＬＥＤ実装用基板１０では、同一のＬＥＤ実装用基板１０で、図８に実線で示すように、ＬＥＤ二列実装部の基板長尺方向端部に端部片側ＬＥＤ素子１２ａが実装された第１ＬＥＤ基板６ａと、図８に破線で示すように、ＬＥＤ二列実装部の基板長尺方向端部に端部中央ＬＥＤ素子１２ｂが実装された第２ＬＥＤ基板６ｂの二種類を得ることができる。言い換えれば、ＬＥＤ基板６の基板長尺方向一方の端部の５つのＬＥＤ素子１２、１２ａ、１２ｂに着目すると、そのうちの１つが他の４つのＬＥＤ素子に囲まれている。なお、この基板長尺方向一方の端部でも、ＬＥＤ二列実装部の基板長尺方向一方の端部寄りの２列２行の４個のＬＥＤ素子１２と端部片側ＬＥＤ素子１２ａ又は端部中央ＬＥＤ素子１２ｂの何れかの計５個のＬＥＤ素子１２が並列に接続され、且つ他のＬＥＤ素子１２に対しては直接に接続される。
【００１３】
このＬＥＤ実装用基板１０の基板長尺方向他方の端部には、前述と同様にＬＥＤ二列実装部が形成されているのであるが、後述するようにＬＥＤ基板６同士の銅箔電極１１を接続したり、銅箔電極１１を電源部５と接続したりするために、図９に示すように、銅箔電極１１にコネクタ部７が設けられている。この例では、図の上側又は下側の列の基板長尺方向他方の端部の５個のＬＥＤ素子実装部のうち、図の左方端部、つまり１列目と、その右隣、つまり２列目の間の銅箔電極１１にコネクタ部７が設けられている。そして、後述するように、隣合うＬＥＤ基板６のコネクタ部７同士を接続することにより、基板長尺方向他方の端部で並列に接続された５個のＬＥＤ素子１２は他のＬＥＤ素子１２に対して直列に接続される。
【００１４】
この実施形態では、前述のように、ＬＥＤ二列実装部の基板長尺方向端部に端部片側ＬＥＤ素子１２ａが実装された第１ＬＥＤ基板６ａと、ＬＥＤ二列実装部の基板長尺方向端部に端部中央ＬＥＤ素子１２ｂが実装された第２ＬＥＤ基板６ｂを夫々２個ずつ用いる。そして、図１０、図１１に示すように、第２ＬＥＤ基板６ｂ、第１ＬＥＤ基板６ａ、第１ＬＥＤ基板６ａ、第２ＬＥＤ基板６ｂの順に長尺方向に突き合わせて配列する。その際、基板配列方向両外側の第２ＬＥＤ基板６ｂは夫々端部中央ＬＥＤ素子１２ｂが基板配列方向外側になるようにして配置し、２つの第１ＬＥＤ基板６ａは、端部片側ＬＥＤ素子１２ａが千鳥状に向き合うように配置する。図中のＬＥＤ基板６上の太い実線が基板上の各ＬＥＤ素子１２の接続状態を簡潔に示している。なお、図中のＬＥＤ基板６上のＬＥＤ素子１２の数は実際の数より少ない。
【００１５】
図１０では、図の左方２つのＬＥＤ基板６（第２ＬＥＤ基板６ｂ、第１ＬＥＤ基板６ａ）を組として電源部５から電力を供給すると共に、図の右方２つのＬＥＤ基板６（第２ＬＥＤ基板６ｂ、第１ＬＥＤ基板６ａ）を組として電源部５から電力を供給する。そのため、図１０では、図の左端のＬＥＤ基板６（第２ＬＥＤ基板６ｂ）の図示右下のコネクタ部７と図の左から２番目のＬＥＤ基板６（第１ＬＥＤ基板６ａ）の図示左下のコネクタ部７とを接続すると共に、図の左端のＬＥＤ基板６（第２ＬＥＤ基板６ｂ）の図示右上のコネクタ部７及び図の左から２番目のＬＥＤ基板６（第１ＬＥＤ基板６ａ）の図示左上のコネクタ部７を電源部５に接続する。また、図１０では、図の右端のＬＥＤ基板６（第２ＬＥＤ基板６ｂ）の図示左下のコネクタ部７と図の右から２番目のＬＥＤ基板６（第１ＬＥＤ基板６ａ）の図示右下のコネクタ部７とを接続すると共に、図の右端のＬＥＤ基板６（第２ＬＥＤ基板６ｂ）の図示左上のコネクタ部７及び図の右から２番目のＬＥＤ基板６（第１ＬＥＤ基板６ａ）の図示右上のコネクタ部７を電源部５に接続する。
【００１６】
これに対し、図１１でも、図の左方２つのＬＥＤ基板６（第２ＬＥＤ基板６ｂ、第１ＬＥＤ基板６ａ）を組として電源部５から電力を供給すると共に、図の右方２つのＬＥＤ基板６（第２ＬＥＤ基板６ｂ、第１ＬＥＤ基板６ａ）を組として電源部５から電力を供給する。そのため、図１１では、図の左端のＬＥＤ基板６（第２ＬＥＤ基板６ｂ）の図示右下右側のコネクタ部７と図の左から２番目のＬＥＤ基板６（第１ＬＥＤ基板６ａ）の図示左下左側のコネクタ部７とを接続すると共に、図の左端のＬＥＤ基板６（第２ＬＥＤ基板６ｂ）の図示右上のコネクタ部７及び図の左から２番目のＬＥＤ基板６（第１ＬＥＤ基板６ａ）の図示左上のコネクタ部７を電源部５に接続する。これにより、図の左方２つのＬＥＤ基板６（第２ＬＥＤ基板６ｂ、第１ＬＥＤ基板６ａ）の組に電源部５から電力が供給される。一方、図の右端のＬＥＤ基板６（第２ＬＥＤ基板６ｂ）の図示左下のコネクタ部７と図の右から２番目のＬＥＤ基板６（第１ＬＥＤ基板６ａ）の図示右下のコネクタ部７とを接続すると共に、図の右端のＬＥＤ基板６（第２ＬＥＤ基板６ｂ）の図示左上のコネクタ部７と図の右から２番目のＬＥＤ基板６（第１ＬＥＤ基板６ａ）の図示右上のコネクタ部７とを接続する。図の左端のＬＥＤ基板６（第２ＬＥＤ基板６ｂ）の図示右上のコネクタ部７はＬＥＤ素子１２を周回して図示右下の追加コネクタ部７まで分岐配線されており、この追加コネクタ部７を図の左から２番目のＬＥＤ基板６（第１ＬＥＤ基板６ａ）の図示左下の追加コネクタ部７と接続する。この図の左から２番目のＬＥＤ基板６（第１ＬＥＤ基板６ａ）の図示左下の追加コネクタ部７はＬＥＤ素子１２の外側を通って図示右下の追加コネクタ部７に独立配線されている。従って、この図の左から２番目のＬＥＤ基板６（第１ＬＥＤ基板６ａ）の図示右下の追加コネクタ部７を、図の右から２番目のＬＥＤ基板６（第１ＬＥＤ基板６ａ）の図示左下のコネクタ部７に接続する。一方、図の右から２番目のＬＥＤ基板６（第１ＬＥＤ基板６ａ）の図示左上のコネクタ部７は、図の左から２番目のＬＥＤ基板６（第１ＬＥＤ基板６ａ）の図示右上の追加コネクタ部７に接続する。この図の左から２番目のＬＥＤ基板（第１ＬＥＤ基板６ａ）の図示右上の追加コネクタ部７はＬＥＤ素子１２の外側を通る分岐配線により図示左上のコネクタ部７に接続されている。従って、図の右方２つのＬＥＤ基板６（第２ＬＥＤ基板６ｂ、第１ＬＥＤ基板６ａ）の組にも電源部５から電力が供給される。
【００１７】
これらの発光ユニット２では、ＬＥＤ基板６の突き合わせ部、特に図１０、図１１の左から２番目のＬＥＤ基板６（第１ＬＥＤ基板６ａ）と右から２番目のＬＥＤ基板６（第１ＬＥＤ基板６ａ）の突き合わせ部において、端部片側ＬＥＤ素子１２ａが千鳥状に向き合うように配置される。このため、ＬＥＤ基板６の突き合わせ部において、明るさを確保することができる。なお、端部片側ＬＥＤ素子１２ａと列をなす隣のＬＥＤ素子１２との距離は、列をなすＬＥＤ素子１２同志間の距離より小さくてもよい。そして、そのようにすれば、左から２番目のＬＥＤ基板６（第１ＬＥＤ基板６ａ）と右から２番目のＬＥＤ基板６（第１ＬＥＤ基板６ａ）の突き合わせ部における明るさをより一層確保することができる。ちなみに、前述のようにＬＥＤ基板６の室内と反対側には放熱用のヒートシンクが設けられており、電源部５は、ヒートシンクよりも室内と反対側に配置される。そのため、電源部５と各ＬＥＤ基板６とは、ヒートシンクに形成された図示しない穴部に挿通する配線部材で接続される。
【００１８】
図１２は、従来の長尺な照明装置の底面図である。つまり、１つの器具本体１に２つの発光ユニット２を長尺方向に突き合わせて取付けている。各発光ユニット２には、例えば２つのＬＥＤ基板６が長尺方向に突き合わせて取付けられている。例えば、前述のように、各ＬＥＤ基板６のＬＥＤ素子実装総数が奇数個である場合、基板長尺方向の一方の端部に端部中央ＬＥＤ素子１２ｂが実装されたＬＥＤ基板６、つまり第２ＬＥＤ基板６ｂを用い、端部中央ＬＥＤ素子１２ｂが基板配列方向外側になるように配置する。この場合、各発光ユニット２の長尺方向端部は端部中央ＬＥＤ素子１２ｂが１つしかないため、明るさは低い。しかしながら、２つの発光ユニット２を長尺方向に突き合わせた従来の照明装置では、突き合わされた発光ユニット２の端部の明るさが低くてもさほど違和感がない。
【００１９】
図１３は、例えば図１２に用いられた端部中央ＬＥＤ素子１２ｂを有するＬＥＤ基板６、つまり第２ＬＥＤ基板６ｂを４個長尺方向に突き合わせて長尺な単一の発光ユニット２を構成した場合を示している。この場合、左から２番目のＬＥＤ基板６と右から２番目のＬＥＤ基板６の突き合わせ部分には、各基板長尺方向端部から遠い位置にある端部中央ＬＥＤ素子１２ｂが向かい合うように配置され、その部分の明るさは低い。この場合、発光ユニット２は単一であり、その長尺方向中央部の明るさが低いため、違和感がある。
【００２０】
これに対し、図１０、図１１に示す発光ユニット２では、左から２番目のＬＥＤ基板６（第１ＬＥＤ基板６ａ）と右から２番目のＬＥＤ基板６（第１ＬＥＤ基板６ａ）の突き合わせ部において、端部片側ＬＥＤ素子１２ａが千鳥状に向き合うように配置される。このため、ＬＥＤ基板６の突き合わせ部において、明るさを確保することができる。また、左端のＬＥＤ基板６（第２ＬＥＤ基板６ｂ）及び右端のＬＥＤ基板６（第２ＬＥＤ基板６ｂ）では、何れも端部中央ＬＥＤ素子１２ｂが基板配列方向外側になるように各ＬＥＤ基板６を配置している。その結果、左端のＬＥＤ基板６（第２ＬＥＤ基板６ｂ）と左から２番目のＬＥＤ基板６（第１ＬＥＤ基板６ａ）との突き合わせ部では２個ずつ、計４個のＬＥＤ素子１２が配置され、同様に右端のＬＥＤ基板６（第２ＬＥＤ基板６ｂ）と右から２番目のＬＥＤ基板６（第１ＬＥＤ基板６ａ）との突き合わせ部では２個ずつ、計４個のＬＥＤ素子１２が配置される。そのため、これらのＬＥＤ基板６の突き合わせ部でも明るさを確保することができる。ちなみに、図１０、図１１の発光ユニット２の変形例として、例えば図１４に示すように、基板長尺方向端部に端部片側ＬＥＤ素子１２ａが配置されたＬＥＤ基板６、つまり第１ＬＥＤ基板６ａを４個長尺方向に突き合わせてもよい。その場合、左から２番目のＬＥＤ基板６（第１ＬＥＤ基板６ａ）と右から２番目のＬＥＤ基板６（第１ＬＥＤ基板６ａ）の突き合わせ部において、端部片側ＬＥＤ素子１２ａが千鳥状に向き合うように配置し、且つ左端のＬＥＤ基板６（第１ＬＥＤ基板６ａ）及び右端のＬＥＤ基板６（第１ＬＥＤ基板６ａ）では、何れも端部片側ＬＥＤ素子１２ａが基板配列方向外側になるように各ＬＥＤ基板６を配置する。これにより、この図１２の変形例でも、ＬＥＤ基板６の各突き合わせ部において明るさを確保することができる。
【００２１】
図１５は、本発明の発光ユニット２の他の実施形態を示すＬＥＤ基板配置の説明図である。この実施形態では、図１０、図１１の実施形態に用いたＬＥＤ基板６に代えて、異なるＬＥＤ基板６（第３ＬＥＤ基板６ｃ）を用いている。図１６は、図１５のＬＥＤ基板６（第３ＬＥＤ基板６ｃ）を構成するためのＬＥＤ実装用基板１０の平面図である。この実施形態のＬＥＤ基板６（第３ＬＥＤ基板６ｃ）は、図１０、図１１のＬＥＤ基板６と同様に、基板長辺方向に列をなし且つ基板短辺方向に二列配列にＬＥＤ素子１２を実装してＬＥＤ二列実装部をするのであるが、その基板長辺方向の一方の端部の二行二列の４つのＬＥＤ素子１２の中央部に端部中央ＬＥＤ素子１２ｃを実装する。言い換えれば、ＬＥＤ基板６の基板長尺方向一方の端部の５つのＬＥＤ素子１２、１２ｃに着目すると、そのうちの１つが他の４つのＬＥＤ素子に囲まれている。なお、この端部中央ＬＥＤ素子１２ｃは、必ずしも基板長辺方向の一方の端部の二行二列の４つのＬＥＤ素子１２の中央部でなくてもよく、例えば二列のうちの何れかの列のＬＥＤ素子１２の間に配置するようにしてもよい。
【００２２】
そして、このＬＥＤ基板６（第３ＬＥＤ基板６ｃ）を４個長尺方向に突き合わせて発光ユニット２を構成する。このうち、基板配列方向内側の２つのＬＥＤ基板６（第３ＬＥＤ基板６ｃ）は、夫々の端部中央ＬＥＤ素子１２ｃが接近するように配置する。これにより、基板配列方向内側の２つのＬＥＤ基板６（第３ＬＥＤ基板６ｃ）の突き合わせ部で明るさを確保することができる。また、基板配列方向両外側のＬＥＤ基板６（第３ＬＥＤ基板６ｃ）は夫々端部中央ＬＥＤ素子１２ｃが基板配列方向外側になるように配置する。これにより基板配列方向外側の２つのＬＥＤ基板６（第３ＬＥＤ基板６ｃ）の突き合わせ部で明るさを確保することができる。また、図１７は、図１５の発光ユニット２におけるＬＥＤ基板配置の他の例を示す説明図である。この例では、基板配列方向両外側のＬＥＤ基板６（第３ＬＥＤ基板６ｃ）は夫々端部中央ＬＥＤ素子１２ｃが基板配列方向内側になるように配置する。これにより基板配列方向外側の２つのＬＥＤ基板６（第３ＬＥＤ基板６ｃ）の突き合わせ部で明るさを確保することができる。
【００２３】
このように、これらの実施形態の発光ユニット２では、複数のＬＥＤ実装用基板１０と、そのＬＥＤ実装用基板１０に対し、二列配列したＬＥＤ素子１２群と、を有し、複数のＬＥＤ実装用基板１０は、隣合う２つのＬＥＤ実装用基板１０を一組として構成され、一組を構成するＬＥＤ実装用基板１０は基板長辺方向に突き合わせて配置され、基板長辺方向一方の端部に位置するＬＥＤ素子１２群の二行二列の４つのＬＥＤ素子１２に囲まれた領域には端部ＬＥＤ素子１２ａ〜１２ｃが配置され、一組を構成するＬＥＤ実装用基板１０は、夫々の基板長辺方向他方の端部を突き合わせて配置した。これにより、基板配列方向内側の２つのＬＥＤ基板６の突き合わせ部で明るさを確保することができる。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００２４】
１  器具本体
２  発光ユニット
３  バネ部材
４  バネ受け
５  電源部
６  ＬＥＤ基板
７  コネクタ部
８  支持部材
９  カバー
１０  ＬＥＤ実装用基板
１１  銅箔電極
１２  ＬＥＤ素子
【図１】
2017168351.tif 000003
【図２】
2017168351.tif 000004
【図３】
2017168351.tif 000005
【図４】
2017168351.tif 000006
【図５】
2017168351.tif 000007
【図６】
2017168351.tif 000008
【図７】
2017168351.tif 000009
【図８】
2017168351.tif 000010
【図９】
2017168351.tif 000011
【図１０】
2017168351.tif 000012
【図１１】
2017168351.tif 000013
【図１２】
2017168351.tif 000014
【図１３】
2017168351.tif 000015
【図１４】
2017168351.tif 000016
【図１５】
2017168351.tif 000017
【図１６】
2017168351.tif 000018
【図１７】
2017168351.tif 000019